(57)【要約】【課題】書類やその他の収容された紙（シート）が食み出て折れ曲がったり、脱落したりするのを確実に防止することが可能なシートファイル具の提供を課題とする。【解決手段】表カバー１０と裏カバー２０を隣り合う一対の側辺部と底辺部で封止状態にすると共に残る一対の側辺部と上辺部とをフリーに開放してシートＳの差し入れ口Ａとしたシートファイル具１であって、一方のカバーの上辺部の中央付近に、表裏のカバー間に収容された１乃至複数のシートＳの上辺部と係合してこれを挟み込むための、上辺部下向き突状切込み部１３を形成し、残る他方のカバーの開放された側辺部の中央付近に、表裏のカバー間に収容された１乃至複数のシートＳの側辺部と係合してこれを挟み込むための、側辺部内向き突状切込み部２３を形成した。【選択図】      図２
0003169249.tif 000002
【実用新案登録請求の範囲】
【請求項１】
表カバーと裏カバーを隣り合う一対の側辺部と底辺部で封止状態にすると共に残る一対の側辺部と上辺部とをフリーに開放してシートの差し入れ口としたシートファイル具であって、一方のカバーの上辺部の中央付近に、表裏のカバー間に収容された１乃至複数のシートの上辺部と係合してこれを挟み込むための、上辺部下向き突状切込み部を形成し、残る他方のカバーの開放された側辺部の中央付近に、表裏のカバー間に収容された１乃至複数のシートの側辺部と係合してこれを挟み込むための、側辺部内向き突状切込み部を形成したことを特徴とするシートファイル具。
【考案の詳細な説明】
【技術分野】
【０００１】
本考案は、紙等の書類をシートとしてファイルするシートファイル具に関する。
【背景技術】
【０００２】
従来、クリアファイル或いは単にファイルと称される文房具が提供されている。このファイルは、透明乃至半透明等のシートからなる表カバーと裏カバーを有し、その表裏のカバーの間に書類等のシートを自在に挿入して保存し、また取り出すことができるようにしたものである。
前記ファイルは、相互に隣接する２辺が封止され、残る２辺が開放されて差し入れ口とされている。このため、差し入れ、差し出しが非常に便利であるが、その一方、差し入れた紙がファイルから食み出して折れ曲がったり、落下したりし易いという欠点がある。
よって、このような欠点を解消しようとする試みが従来より色々となされている。
特開２０００−１４１９６７号公報（特許文献１）には、表裏シートのずれ止め手段として、隅角部（６）に切り込み（７）と舌片（８）を設けたファイルが開示されている。
また特開２００２−９６５８９号公報（特許文献２）には、舌片（６）や係止片（９）を設けた書類収納ホルダーが開示され、特開２００５−１５３４８９号公報（特許文献３）には押さえ片（２２０）を設けた書類用ビニール・ファイルが開示され、特開２００８−１２７８５号公報（特許文献４）には押え用係合舌片（１８）を設けたファイルが開示され、更に特開２０１０−２６９５２９号公報（特許文献５）には舌状切り込み片（５）を設けた簡単ファイルが開示されている。
【先行技術文献】
【特許文献】
【０００３】
【特許文献１】特開２０００−１４１９６７号公報
【特許文献２】特開２００２−９６５８９号公報
【特許文献３】特開２００５−１５３４８９号公報
【特許文献４】特開２００８−１２７８５号公報
【特許文献５】特開２０１０−２６９５２９号公報
【考案の概要】
【考案が解決しようとする課題】
【０００４】
上記特許文献１に示す従来のアファイルの場合は、隅角部（６）に設けられる切り込み（７）や舌片（８）は、印刷時における表裏シートのズレ防止のために設けられたものであり、ファイルに収容された紙の食み出しや脱落防止を図る手段として設けられたものではない。また、そのような紙の脱落防止に関する一切の言及も示唆もなされていない。勿論、特許文献１のファイルにおいては、紙をファイルに収容し、その紙の隅角部をファイルの切り込み（７）或いは舌片（８）の切り込みに通すことで、紙の脱落防止効果が生じる。しかし、このシートの隅角部（６）に切り込み（７）を設ける構成の場合は、そこに通された紙の隅角部は、ファイルから外に食み出ることになり、隅角部が折れ曲がったり、皺になったりする問題が残る。
上記特許文献２に示すものでは、接合されていない２辺のうち、一方の辺（長辺）にのみ舌片（６）が切れ目によって設けられているため、残る一方の辺（短辺）側から書類が食み出し或いは脱落するのを十分には防止できない。また隅角部に係止片（９）を設ける場合は、上記特許文献１について言及したのと同様に、書類（紙）の隅角部が係止片（９）のところで外に食み出るため、書類の隅角部に傷や折れ曲がりが生じる問題が残る。
特許文献３〜５に示すものは、接合されていない２辺乃至３辺のうち、１つの長辺にのみ、切り込み片を設けているため、同様に、残る他の辺から書類、紙が食み出して折れ曲がったり、脱落したりする問題が残る。
【０００５】
そこで本考案は上記従来における問題点を解決し、書類やその他の収容された紙（シート）が食み出て折れ曲がったり、脱落したりするのを確実に防止することが可能なシートファイル具の提供を課題とする。
【課題を解決するための手段】
【０００６】
本考案のシートファイル具は、表カバーと裏カバーを隣り合う一対の側辺部と底辺部で封止状態にすると共に残る一対の側辺部と上辺部とをフリーに開放してシートの差し入れ口としたシートファイル具であって、一方のカバーの上辺部の中央付近に、表裏のカバー間に収容された１乃至複数のシートの上辺部と係合してこれを挟み込むための、上辺部下向き突状切込み部を形成し、残る他方のカバーの開放された側辺部の中央付近に、表裏のカバー間に収容された１乃至複数のシートの側辺部と係合してこれを挟み込むための、側辺部内向き突状切込み部を形成したことを特徴としている。
【考案の効果】
【０００７】
請求項１に記載のシートファイル具によれば、表カバーと裏カバーを隣り合う一対の側辺部と底辺部で封止状態にすると共に残る一対の側辺部と上辺部とをフリーに開放してシートの差し入れ口としたシートファイル具であって、一方のカバーの上辺部の中央付近に、表裏のカバー間に収容された１乃至複数のシートの上辺部と係合してこれを挟み込むための、上辺部下向き突状切込み部を形成し、残る他方のカバーの開放された側辺部の中央付近に、表裏のカバー間に収容された１乃至複数のシートの側辺部と係合してこれを挟み込むための、側辺部内向き突状切込み部を形成したことにより、
書類等のシートを差し入れ口から表カバーと裏カバーとの間に出し入れ自在にファイリングすることができる。そして収容した１乃至複数のシートの食み出しによる折れ曲がりや脱落を防止したい場合には、収容されたシートの上辺部を一方のカバーに形成された上辺部下向き突状切込み部に挟み込み、且つ収容されたシートの側辺部を他方のカバーに形成された側辺部内向き突状切込み部に挟み込む。
収容されたシートは、開放側の２辺が上辺部下向き突状切込み部と側辺部内向き突状切込み部とによって、食み出しが阻止される。
しかも前記上辺部下向き突状切込み部と側辺部内向き突状切込み部とは、一方が表カバーに他方が裏カバーに設けられる構成としているので、収容されたシートに対する挟み込みを表カバーと裏カバーとの両方による連携で行うことができ、シートの食み出しや脱落を確実に防止することができる。
勿論、シートの一部は、前記上辺部下向き突状切込み部や側辺部内向き突状切込み部において、表裏のカバーから露出することになる。しかし、露出するのはシートの上辺部の中央付近と側辺部の中央付近であり、隅角部のような自由端ではないので、露出はするもののカバーの厚み内での露出に止まり、端部が食み出して折れ曲がったり、汚れたりするようなことは回避される。
【図面の簡単な説明】
【０００８】
【図１】本考案の実施形態に係るシートファイル具の正面図である。
【図２】本考案の実施形態に係るシートファイル具にシートを収容して、脱落しないように挟み込んだ状態を示す図で、表カバーの一部を破断して示す。
【図３】シートが表カバーと裏カバーの突状切込み部で挟み込まれた状態を示す図である。
【考案を実施するための形態】
【０００９】
以下の図面を参照して、本考案に係るシートファイル具を説明し、本考案の理解に供する。しかし、以下の説明は本考案の実用新案登録請求の範囲に記載の考案を限定するものではない。
【００１０】
先ず図１を参照して、本考案に係るシートファイル具１は、表カバー１０と裏カバー２０とを有する。
シートファイル具１は、表カバー１０と裏カバー２０とが一方の側辺部を折畳部１ａとして封止されており、また表カバー１０と裏カバー２０とが底辺部で溶着等による接合部１ｂとして封止されている。
表カバー１０と裏カバー２０の残る一対の側辺部（開放側辺部）１１、２１と上辺部１２、２２はフリーに開放され、差し入れ口Ａとされている。
勿論、前記表カバー１０と裏カバー２０は、矩形形状のものをそれぞれ別葉で用意し、それらの一対の側辺部と底辺部とを接合することで一体化し、前記差し入れ口Ａを構成するようにしてもよい。前記接合部１ｂの形成は融着、圧着、その他の既存の各種方法で行うことができる。
なお本実施形態では、前記折畳部１ａを図面上の左に配置し、前記接合部１ｂを図面上の下に配置した場合に、上に重なる方のカバーを表カバー１０とし、下に重なる方のカバーを裏カバー２０としている。
書類等のファイリングの対象となる書類や紙等を含むシートＳを、シートファイル具１にファイリングする場合、例えば表カバー１０の開放側の側辺部１１から上辺部１２にかけての肩部を手に持ち、前記差し入れ口Ａを開けることで、１乃至複数枚のシートＳを容易に挿入し、また取り出すことができる。
このシートファイル具１は、各種書類、メモ等の文字書類としてのシート、広告、チラシ、お知らせ、ポスター、写真等のシート、模様や図等の絵柄としてのシート、それら文字、写真、絵柄の組み合わせからなるシート、また材質として紙、プラスチック、その他の材質からなるシート、その他、あらゆるシートを対象として、それらの１乃至複数枚を差し入れ、取り出し自在にファイルするものである。
またシートファイル具１では、表カバー１０と裏カバー２０の寸法の具体例として、Ａ４寸法よりも少し大きい寸法を採用することができる。勿論、他の寸法の表カバー１０と裏カバー２０を用いた長方形状のものでもよい。また正方形状とすることもできる。
【００１１】
図２、図３も参照して、前記表カバー１０は、透明乃至半透明の材料を用いるのが好ましい。勿論、不透明の材料を用いてもよい。表カバー１０の使用材料としては、例えばポリプロピレンを用いることができる。勿論、その他の樹脂材料を用いてもよい。更に樹脂材料以外の材料を用いることも可能である。ただし、後述する挟持用片１３ｃ、２３ｃに弾性復帰力を付与するためには、弾性を保有する材料が好ましい。厚みは特に限定されるものではないが、使用する材料に応じて、内部に収容される１乃至複数枚のシートＳの重み等に対して簡単には破損せず且つ表カバー１０を手で捲って前記差し入れ口Ａを自在に開放することができると共に、後述する挟持用片１３ｃ、２３ｃに弾性復帰力を発揮させる柔軟性を備える厚みが好ましい。
【００１２】
前記裏カバー２０は、表カバー１０と同じ材質の樹脂等のシートを用いることができる。勿論、表カバーとは異なる材質のものを用いることも可能である。この場合は、前記した折畳部１ａは、１枚のシートを折り畳むのではなく、２枚のシートを接合した接合部となる。
表カバー１０も裏カバー２０も矩形形状とする。ここで矩形形状とは、正方形、長方形、及びそれらの四隅が少し落とされたような略正方形、略長方形を含む概念である。
【００１３】
本考案のシートファイル具１においては、表カバー１０の上辺部１２の中央付近に上辺部下向き突状切込み部１３を形成している。また裏カバー２０の側辺部２１の中央付近に側辺部内向き突状切込み部２３を形成している。
前記上辺部下向き突状切込み部１３は、下向きに突出するように切り込まれた主切込線１３ａと、その基端両側に上辺部１２に平行に近い斜め線で切り込まれ、切込み線が上辺まで伝播するのを予防する伝播防止切込み線１３ｂとによって形成され、前記主切込線１３ａと伝播防止切込み線１３ｂの内側の領域が、挟持用片１３ｃとなる。
シートファイル具１の表カバー１０と裏カバー２０との間に収容されたシートＳは、必要に応じて、その上辺部を前記挟持用片１３ｃと表カバー１０との間に挟持されることになる。この場合、前記挟持用片１３ｃの付け根である伝播防止切込み線１３ｂの基端点の位置は、少なくともシートファイル具１に収容されるシートＳの上辺端部よりも上の位置にある必要がある。例えばＡ４の大きさのシートＳの収容を前提とする場合は、前記伝播防止切込み線１３ｂの基端点の位置は、収容されたＡ４シートの長径の上端位置よりも更に上の位置となる。従って表カバー１０の寸法もその分だけ大きく余裕を持たせた寸法となる。
前記挟持用片１３ｃは、通常時は表カバー１０に対して立ち上がることはないが、シートＳを挟む場合には、挟持用片１３ｃを弾性復帰力に抗して手で立ち上げ、シートＳを挟持用片１３ｃと表カバー１０との間に挟む。シートＳは挟持用片１３ｃの弾性復帰力により挟持状態を維持される。
【００１４】
前記裏カバー２０の側辺部内向き突状切込み部２３は、反対側の折畳部１ａに向けて内向きに突出するように切り込まれた主切込み線２３ａと、その基端両側に側辺部２１に平行に近い斜め線で切り込まれ、主切込み線が側辺まで伝播するのを予防する伝播防止切込み線２３ｂとによって形成され、前記主切込み線２３ａと伝播防止切込み線２３ｂの内側の領域が、挟持用片２３ｃとなる。
シートファイル具１の表カバー１０と裏カバー２０との間に収容されたシートＳは、必要に応じて、その側辺部を前記挟持用片２３ｃと裏カバー２０との間に挟持されることになる。前記挟持用片２３ｃの付け根である伝播防止切込み線２３ｂの基端点の位置は、上記の表カバー１０における伝播防止切込み線１３ｂの基端点の場合と同様に、シートファイル具１に収容されるシートＳの側辺端部よりも外の位置にある必要がある。例えばＡ４の大きさのシートＳの収容を前提とする場合は、前記伝播防止切込み線２３ｂの基端点の位置は、収容されたＡ４シートの短径の側端位置よりも更に側方の位置となる。従って裏カバー２０の寸法も、その分だけ大きく余裕を持たせた寸法となる。
前記挟持用片２３ｃも、通常時は裏カバー２０に対して立ち上がることはないが、シートＳを挟む場合には、挟持用片２３ｃを弾性復帰力に抗して手で立ち上げ、シートＳを挟持用片２３ｃと裏カバー２０との間に挟む。シートＳは挟持用片２３ｃの弾性復帰力により挟持状態を維持される。
【００１５】
図３より容易に理解できるように、本考案では、表カバー１０と裏カバー２０との間に収容された１乃至複数枚のシートＳは、該シートＳの上辺の中央付近の端部で、表カバー１０の上辺部下向き突状切込み部１３により表カバー１０側に拘束される。更にシートＳは、該シートＳの側辺の端部で裏カバー２０の側辺部内向き突状切込み部２３により裏カバー２０側に拘束される。
従って、再度言えば、本考案では、シートファイル具１に収容されたシートＳは、その２辺を折畳部１ａと接合部１ｂで拘束される他、残る２辺を上辺部下向き突状切込み部１３と側辺部内向き突状切込み部２３とで食み出し方向への移動を拘束され、しかもその食み出し方向への移動の拘束は、表カバー１０と裏カバー２０の両方を駆逐して行う構成としている。それらの結果、収容されたシートＳのシートファイル具１からの食み出し、脱落を、非常に簡単な手段で、非常に確実に行うことが可能となった。
【００１６】
勿論、シートファイル具１に収容されたシートＳを前記上辺部下向き突状切込み部１３や側辺部内向き突状切込み部２３で挟み込むと、シートＳの一部が表カバー１０や裏カバー２０に露出することになるが、シートＳの隅角部がフリーに食み出すのとは異なり、現実には、表カバー１０や裏カバー２０の厚み内に凹んだ状態で露出するだけに止まるので、露出部分が折れ曲がったり、傷ついたり、汚れたりするのを実質的に回避することができる。
【産業上の利用可能性】
【００１７】
本考案は広告、チラシ、お知らせ、ポスター、ビジネス書類、メモ等の文字書類としてのシート、写真としてのシート、模様や図等の絵柄としてのシート、それら文字、写真、絵柄の組み合わせからなるシートを、シートＳとしてファイルし、且つシートＳが簡単に脱落したり食み出たりして、汚したり傷つけたりしないようにできるシートファイル具として、産業上利用することができる。
【符号の説明】
【００１８】
１            シートファイル具
１ａ          折畳部
１ｂ          接合部
１１          側辺部
１２          上辺部
１３          上辺部下向き突状切込み部
１３ａ        主切込み線
１３ｂ        伝播防止切込み線
１３ｃ        挟持用片
２０          裏カバー
２１          側辺部
２２          上辺部
２３          側辺部内向き突状切込み部
２３ａ        主切込み線
２３ｂ        伝播防止切込み線
２３ｃ        挟持用片
Ａ            差し入れ口
Ｓ            シート
【図１】
0003169249.tif 000003
【図２】
0003169249.tif 000004
【図３】
0003169249.tif 000005